【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
予め決められた角度的応答性に優れた反射表面関数（３０２）を有する投影スクリーン（１２４）を提供する段階（９０２）と、
前記予め決められた角度的応答性に優れた反射表面関数（３０２）と協働して３次元画像（１１４、１１６）をそれぞれ変調して、プログラム可能偏向角度を備えたプログラム可能ミラー（１２６）を定義する段階（９０４）と、
を含む３次元ディスプレイシステム（１００）。
【請求項２】
仮想ボリューム（１３６）において予め決められた観察者特徴（２０８、２１０、８０２、８０４、８０６、８０８）を追跡し、対話型観察者（１３２）起動制御入力に対するフィードバックを提供する段階を更に含む、
請求項１に記載のシステム（１００）。
【請求項３】
スキャン画像サブフレームを利用して観察者（１３２）が追跡される目標エリアを掃引する段階を更に含む、
請求項１に記載のシステム（１００）。
【請求項４】
３次元対話のための仮想ボリューム（１３６）として前記投影スクリーン（１２４）の前方に予め決められた仮想ディスプレイボリューム（１３６）を構成する段階を更に含む、
請求項１に記載のシステム（１００）。
【請求項５】
３次元画像（１１４、１１６）を変調する段階（９０４）が、前記画像（１１４、１１６）をターンオン及びターンオフして観察者（１３２）の左眼及び右眼（２０８、２１０）への光投影を制御する段階（１１８、１２０）を更に含む、
請求項１に記載のシステム（１００）。
【請求項６】
３次元画像（１１４、１１６）を変調する段階（９０４）が、スキャンビーム（３０４）のスキャン速度を変調する段階（１１８、１２０）を更に含む、
請求項１に記載のシステム（１００）。
【請求項７】
次式：
【数１】
2010503899.tif 000001
を使用して前記表面関数（３０２）の法線（２１２）の角度を決定する段階を更に含む、請求項１に記載のシステム（１００）。
【請求項８】
次式：
【数２】
2010503899.tif 000002
を使用して観察者（１３２）の眼（２０８、２１０）に反射ビーム（３０６）を照準するのに適正な前記表面関数（３０２）の法線（２１２）の角度を決定する段階を更に含む、請求項１に記載のシステム（１００）。
【請求項９】
前記投影スクリーン（１２４）の表面（３１０）に変調関数（６０２）を符号化する段階を更に含む、
請求項１に記載のシステム（１００）。
【請求項１０】
前記投影スクリーン（１２４）の前記表面（３１０）に変調関数（６０２）を符号化し、一定の速度で前記投影スクリーン（１２４）をスキャンしたときに予め決められた目標偏向角度になるようにする段階を更に含む、
請求項１に記載のシステム（１００）。
【請求項１１】
観察者（１３２）と非観察者とを区別する段階と、
前記観察者（１３２）にだけ画像（１１４、１１６）を投影する段階（１２２）と、
を更に含む、
請求項１に記載のシステム（１００）。
【請求項１２】
少なくとも１人の観察者（１３２）の左眼及び右眼（２０８、２１０）ロケーションを決定する段階と、
前記投影スクリーン（１２４）に向けて左及び右３次元副像（１１４、１１６）を投影する段階（１２２）と、
前記予め決められた角度的応答性に優れた反射表面関数（３０２）と協働して前記副像（１１４、１１６）をそれぞれ変調し、前記左及び右副像（１１４、１１６）を前記それぞれの左眼及び右眼（２０８、２１０）ロケーションに実質的に独占的にそれぞれ配向する段階（１１８、１２０）と、
を更に含む、
請求項１に記載のシステム（１００）。
【請求項１３】
前記眼（２０８、２１０）ロケーションの動きを追跡する段階を更に含む、
請求項１２に記載のシステム。
【請求項１４】
前記眼（２０８、２１０）ロケーションの動きを追跡する段階と、
前記追跡された動きに応じて前記左及び右副像（１１４、１１６）を調節し、ホログラムに似た画像を生成する段階と、
を更に含む、
請求項１２に記載のシステム。
【請求項１５】
前記副像（１１４、１１６）を変調する段階（１１８、１２０）が、前記副像（１１４、１１６）が前記観察者（１３２）の眼（２０８、２１０）に到達するように照準されていない場合に、前記副像（１１４、１１６）の投影をマスキング又はゲートアウトする段階を更に含む、
請求項１２に記載のシステム。
【請求項１６】
前記変調段階（１１８、１２０）が、前記表面関数（３０２）の法線（２１２）に相関付ける段階を更に含み、
前記投影スクリーン（１２４）に向けて左及び右３次元副像（１１４、１１６）を投影する段階（１２２）が、前記法線（２１２）ロケーションとの間でその瞬間に投影される対応する画素についての各それぞれの法線（２１２）ロケーションに入射光ビーム（３０４）を投影する段階（１２２）を更に含む、
請求項１２に記載のシステム。
【請求項１７】
前記投影スクリーン（１２４）に向けて左及び右３次元副像（１１４、１１６）を投影する段階（１２２）が、前記法線（２１２）ロケーションとの間でその瞬間に投影される対応する画素に対する各それぞれの法線（２１２）ロケーションに入射光ビーム（３０４）を投影する段階（１２２）を更に含み、前記入射ビームが、前記画素（２０２）の反射ポイントＸL及びＸR間の距離よりも小さな幅を有する、
請求項１２に記載のシステム。
【請求項１８】
個々の観察者（１３２）を固有に識別する段階と、
個人化された観察者（１３２）の選好を記憶する段階と、
前記観察者（１３２）に関連付けられた前記選好に従って前記観察者（１３２）の経験をカスタマイズする段階と、
を更に含む、
請求項１２に記載のシステム。
【請求項１９】
前記投影スクリーン（１２４）をスキャンしてロケーションを決定し、
決定された前記投影スクリーン（１２４）ロケーションに従って前記変調段階（１１８、１２０）を調節する、
ことによって、前記投影スクリーン（１２４）及び前記左及び右副像（１１４、１１６）の投影（１２２）を自動的に整列する段階を更に含む、
請求項１２に記載のシステム。
【請求項２０】
前記投影スクリーン（１２４）のロケーションを決定し、
少なくとも１つの投影副像を予め決められたロケーションに返す少なくとも１つの投影角度を記録し、
これに基づいて前記変調段階（１１８、１２０）を調節する、
ことによって前記投影スクリーン（１２４）及び前記左及び右副像（１１４、１１６）の投影（１２２）を自動的に整列する段階を更に含む、
請求項１２に記載のシステム。
【請求項２１】
観察者（１３２）の眼（２０８、２１０）ロケーションの動きを追跡する段階と、
前記観察者（１３２）のそれぞれの左眼及び右眼（２０８、２１０）ロケーションに向けて左及び右３次元疑似ホログラフィック副像（１１４、１１６）を投影する段階（１２２）と、
前記追跡された動きに応じて前記左及び右副像（１１４、１１６）を調節して、ホログラムに似た疑似ホログラフィック画像を生成する段階と、
を含む３次元ディスプレイシステム。
【請求項２２】
前記観察者（１３２）の実際の動きよりも速く前記観察者（１３２）に対して前記疑似ホログラフィック画像（１１４、１１６）を動かすことで前記観察者（１３２）の眼に見える動きを増大させることによって、ホログラフィック加速を提供する段階を更に含む、請求項２１に記載のシステム。
【請求項２３】
３次元疑似ホログラフィック投影及びビューイングと共に３次元対話のため仮想ボリューム（１３６）として前記観察者（１３２）の前方に予め決められた仮想ディスプレイボリューム（１３６）を構成する段階を更に含む、
請求項２１に記載のシステム。